(57)【要約】      （修正有）【課題】放射光の強度の損失を抑えながらＸ線画像情報項目の鮮明度を上昇させるスキャナとメモリー層とを備えるシステム、及びそのためのメモリー層の提供。【解決手段】メモリー層１はＸ線情報項目を蓄積するように設計され、一つのＸ線情報項目に一致する放出放射線７を発するように誘発放射線３によって励起され得て、媒体内に埋められてメモリー層の全厚さにわたり分布されている多数の粒子から成る。スキャナ１０は誘発放射線によりメモリー層上の直線領域１３を照射する照射装置４と、直線領域に沿ってメモリー層により発射される放出放射線を位置的に解像検出する検出器９とから成る。放出放射線の強度の損失を抑えながら画像情報項目の鮮明度を上昇させるために、媒体は両方が直交して且つ個別の粒子により発射される放出放射線のメモリー層の平面と平行に指向された成分それぞれを少なくとも部分的に吸収し得ることが計画される。【選択図】図１
2005024552.tif 000002
【特許請求の範囲】
【請求項１】
スキャナ（１０）とメモリー層（１）とから成り、メモリー層（１）はＸ線情報項目を蓄積するように設計され、一つのＸ線情報項目に一致する放出放射線（７）を発するように誘発放射線（３）によって励起され得て、媒体（２１）内に埋められてメモリー層（１）の全厚さにわたり分布されている多数の粒子（２０）から成り、スキャナ（１０）は誘発放射線（３）によりメモリー層（１）上の直線領域（１３）を照射する照射装置（４）と、直線領域（１３）に沿ってメモリー層（１）により発射される放出放射線（７）を位置的に解像検出する検出器（９）とから成り、媒体（２１）は両方が直交して且つ個別の粒子（２０）により発射される放出放射線のメモリー層（１）の平面と平行に指向された成分（Ｅs とＥp 、それぞれに）を少なくとも部分的に吸収され得ることを特徴とするシステム。
【請求項２】
媒体（２１）は青色光範囲、特に４００ｎｍと４４０ｎｍとの間に横たわる第一波長範囲において放出放射線の成分（Ｅs とＥp ）を少なくとも部分的に吸収し得ることを特徴とする請求項１に記載のメモリー層。
【請求項３】
媒体（２１）は第一波長範囲において放出放射線の成分（Ｅs とＥp ）を少なくとも部分的に吸収し得る第一染料を含有することを特徴とする請求項２に記載のメモリー層。
【請求項４】
媒体（２１）は赤着色顔料の形態の第一染料を含有することを特徴とする請求項３に記載のメモリー層。
【請求項５】
媒体（２１）は粒子（２０）が放出放射線を発射するように励起され得る第二波長範囲において両方が直交して且つ誘発放射線のメモリー層の平面と平行に指向された成分（Ｓs とＳp 、それぞれに）を少なくとも部分的に吸収され得ることを特徴とする請求項１乃至請求項４のいずれか一項に記載のメモリー層。
【請求項６】
第二波長範囲は赤光範囲において、特に６２０ｎｍと６９０ｎｍとの間に横たわることを特徴とする請求項５に記載のメモリー層。
【請求項７】
媒体は第二波長範囲における誘発放射線の成分（Ｓs とＳp ）を少なくとも部分的に吸収し得る第二染料を含有することを特徴とする請求項６に記載のメモリー層。
【請求項８】
媒体（２１）は青着色顔料の形態の第二染料を含有することを特徴とする請求項７に記載のメモリー層。
【請求項９】
照射装置（４）は複数の個別放射源（５）と一つの集束装置（６）とから成り、個別放射源（５）のそれぞれはメモリー層（１）の直線領域（１３）上に集束装置（６）により集束され、直線領域（１３）上に少なくとも部分的に重ねられる誘発放射線ビーム（１２）を発射することを特徴とする請求項１乃至請求項８のいずれか一項に記載のシステム。
【請求項１０】
集束装置（６）は少なくとも一つの円筒状レンズ或いは一つの円筒状鏡から成ることを特徴とする請求項９に記載のシステム。
【請求項１１】
検出器（９）は一列に配置された複数の感光検出要素（１４）から成ることを特徴とする請求項１乃至請求項１０のいずれか一項に記載のシステム。
【請求項１２】
画像形成装置（８）は検出器（９）にメモリー層（１）の直線領域（１３）を去る放出放射線（７）を結像するように設けられていることを特徴とする請求項１乃至請求項１１のいずれか一項に記載のシステム。
【請求項１３】
画像形成装置（８）は一列に配置された複数のマイクロレンズから成ることを特徴とする請求項１２に記載のシステム。  
【請求項１４】
照射装置（４）は、スキャナ（１０）がメモリー層（１）に関して移動される搬送方向（Ｔ）に関して検出器（９）の前方に配置されていることを特徴とする請求項１乃至請求項１３のいずれか一項に記載のシステム。
【請求項１５】
Ｘ線情報項目を蓄積するメモリー層であって、Ｘ線情報項目を蓄積するように設計され、一つのＸ線情報項目に一致する放出放射線（７）を発するように誘発放射線（３）によって励起され得て、媒体（２１）内に埋められてメモリー層（１）の全厚さにわたり分布されている多数の粒子（２０）から成り、媒体（２１）は両方が直交して且つ個別の粒子（２０）により発射される放出放射線のメモリー層（１）の平面と平行に指向された成分（Ｅs とＥp 、それぞれに）を少なくとも部分的に吸収され得ることを特徴とするメモリー層。
【請求項１６】
媒体（２１）は青色光範囲、特に４００ｎｍと４４０ｎｍとの間に横たわる第一波長範囲において放出放射線の成分（Ｅs とＥp ）を少なくとも部分的に吸収し得ることを特徴とする請求項１５に記載のメモリー層。
【請求項１７】
媒体（２１）は第一波長範囲において放出放射線の成分（Ｅs とＥp ）を少なくとも部分的に吸収し得る第一染料を含有することを特徴とする請求項１６に記載のメモリー層。
【請求項１８】
媒体（２１）は赤着色顔料の形態の第一染料を含有することを特徴とする請求項１７に記載のメモリー層。
【請求項１９】
媒体（２１）は粒子（２０）が放出放射線（７）を発射するように励起され得る第二波長範囲において両方が直交して且つ誘発放射線のメモリー層の平面と平行に指向された成分（Ｓs とＳp 、それぞれに）を少なくとも部分的に吸収され得ることを特徴とする請求項１５乃至請求項１８のいずれか一項に記載のメモリー層。
【請求項２０】
第二波長範囲は赤光範囲において、特に６２０ｎｍと６９０ｎｍとの間に横たわることを特徴とする請求項１９に記載のメモリー層。
【請求項２１】
媒体（２１）は第二波長範囲における誘発放射線の成分（Ｓs とＳp ）を少なくとも部分的に吸収し得る第二染料を含有することを特徴とする請求項２０に記載のメモリー層。
【請求項２２】
媒体（２１）は青着色顔料の形態の第二染料を含有することを特徴とする請求項２１に記載のメモリー層。
【発明の詳細な説明】
【技術分野】
【０００１】
この発明は、請求項１或いは請求項１５の上位概念によってスキャナとメモリー層から成るシステムと更にＸ線情報項目を記憶するメモリー層に関する。
【背景技術】
【０００２】
この種のシステム或いはメモリー層は、特に医療目的にコンピユータＸ線写真（ＣＲ）の分野に採用される。この場合にＸ線撮影は、物体、特に患者を通して通過するＸ線放射線を潜在画像として燐層に記憶させることにより燐層に記録される。記憶された画像を読み取るために、燐層は誘発光を照射され、それによりこの潜在画像としての放射光は放射し、その放射光は光学検出器により検出され、電気信号に変換される。電気信号は必要に応じて再処理されてモニターに図示される、或いは、例えば印刷機のような適切な出力装置に出力される。
【０００３】
先行技術から、メモリー層に記憶されたＸ線情報項目がラインスキャナによって読み取られるシステムは公知である。ラインスキャナは誘発放射線によりメモリー層の直線状領域を照射する照射装置と、メモリー層の直線状領域に励起された放出放射線を位置的に解像された検出をする直線状検出器とを包含する。メモリー層はＸ線情報項目が記憶されている多数の個別の燐粒子を有する。燐粒子は粉末の形態で存在し、媒体、特に合成樹脂に埋め込まれている。それ故に、このタイプのメモリー層は粉末画像板（ＰＩＰｓ）として記載されている。この構成と構造に基づいて、メモリー層に入射する誘発放射線はメモリー層に散乱されるので、主に励起する直線状領域ばかりでなく、層の隣接領域は放射光を放射するように励起される。読み取るべき直線状領域は厳しく制限されずに、それは検出すべき画像情報の鮮明度の減少を招く。
【０００４】
この鮮明度の損失を減少するために、先行技術では青染料を包含するメモリー層が提案されていた。青染料によって、一般に赤いスペクトル範囲に位置する誘発放射線はメモリー層に部分的に吸収され、それにより誘発放射線をメモリー層に戻す平均通路長さを短縮する。この方法で確かに励起すべき直線状領域はメモリー層により良く制限されるので、読み取るべき画像情報項目の鮮明度は向上される。けれども、誘発放射線の吸収によって、同時にメモリー層への誘発放射線の深い侵入は阻止されるので、メモリー層の上部層のみが放射光を放射するように励起され得る。この減少した読み取り深さに基づいて、放射された放出放射線の強度が減少され、それは上昇した信号騒音を生じる。これによって、改良された画像鮮明度にもかかわらず、画像情報項目は全体として意味ある様には改良されない。
【０００５】
さらに、メモリー層における青染料はメモリー層上の励起した直線状領域の延長部と垂直な鮮明度の上昇を単に生じる。全直線状領域は誘発放射線により照射されるから、それに対してこの領域の方向において鮮明度の上昇が不可能である。
【０００６】
先行技術には、ライン光源から出射される励起光の指向性を高めるとともに、その出射光の強度を向上させて優れた画像を得る放射線画像情報読取装置として特許文献１があり、また、検出量子効率の高い放射線画像形成方法と放射線画像記憶材料としては特許文献２が存在する。
【特許文献１】欧州特許第０９６４２６９号明細書
【特許文献２】欧州特許出願公開第１２７１５５８号明細書
【発明の開示】
【発明が解決しようとする課題】
【０００７】
この発明の課題は、放射光の強度における出来るだけ低い損失において画像情報項目の鮮明度の上昇を保証するスキャナとメモリー層とを備えるシステムとＸ線情報項目を記憶するメモリー層とを提供することである。
【課題を解決するための手段】
【０００８】
この課題は、請求項１或いは請求項１５により、Ｘ線情報項目を記憶するように形成された粒子が埋め込まれている媒体は個別粒子により放射される放出放射線のメモリー層に向いた成分の平面と垂直に並びに平行に少なくとも部分的に吸収され得ることによって解決される。
【発明の効果】
【０００９】
この発明は、個別粒子から引き渡されて場合には他の粒子に散乱された放出放射線が部分的に吸収され、それにより減衰されるように媒体を着色する思想に基づいている。個別粒子は吸収する媒体により包囲されているから、放出放射線はすべての立体方向に減衰され、その散乱は一致して減少される。先行技術から知られた誘発放射線の減衰と反対に、この発明の放出放射線の減衰によって画像鮮明度はメモリー層上の励起した直線状領域の方向に垂直にばかりでなく、励起した直線状領域の方向にも向上される。それ故に、行検出器による直線状領域から発射された放出放射線の位置的解像された検出の場合に、行検出器の行方向にも画像情報の上昇した鮮明度は検出される。試行が示される様に、メモリー層における放出放射線の部分的吸収により条件付けられた強度損失は検出された放出放射線の際に驚くべきほど僅かであるので、信号騒音は意味のあるほど上昇されない。この結果は専門家の期待と矛盾し、それによりメモリー層の媒体における放出放射線の部分的吸収は放出放射線の一般に極めて弱い強度の明らかな減衰を生じ、それ故に意味のある高い信号騒音を生じる。
【００１０】
全体として、この発明のシステム或いはこの発明のメモリー層の場合には、画像情報の改良した鮮明度は特に読み取るべき直線状領域の方向において同時に検出すべき放出放射線の高い強度を得る。
【００１１】
好ましい実施態様において、媒体は放出放射線の成分を第一波長範囲に少なくとも部分的に吸収でき、その波長範囲が青色光の範囲に、特に４００ｎｍと４４０ｎｍの間に位置することが計画されている。これにより、例えばＢａＦＢｒx ｌx-1 ；Ｅｕに基づいた燐粒子のような通常の粒子構成に出射される放出放射線のすべての実質的スペクトル成分は、十分に高い鮮明利得を保証するために特に確実に減少されることが達成される。
【００１２】
好ましくは、媒体は放出放射線の成分を第一波長範囲に少なくとも部分的に吸収できる第一染料を含有する。特に第一染料は放出放射線用の高い吸収性と誘発放射線用の低い吸収性とを有する。これにより一方では励起された放出放射線の散乱が確実に減少され、他方では誘発放射線の散乱が可能とされる。後者は向上した読み取り深さを招き、それにより検出すべき放出光のより高い強度を招く。この方法では、画像情報の改良された鮮明度はラインスキャナの方向において同時により高い放出強度を達成される。
【００１３】
特に媒体は赤着色顔料の形態の第一染料を含有する。これは元来粉末の形態で存在する燐粒子と混合され、簡単な方法で媒体に入れられる。これにより、媒体における第一染料の均一な分布とそれ故にあらゆる立体方向における放出放射線の確実な吸収性が保証される。  
【００１４】
この発明の他の実施態様では、媒体は粒子が放出放射線を出射するように励起される第二波長範囲における誘発放射線のメモリー層の平面に対して垂直に並びに平行に指向された成分を少なくとも部分的に吸収できるが計画されている。この実施態様は、メモリー層にて放出放射線の散乱のほかに追加的に誘発放射線の散乱を減少させるために、放出放射線のほかに誘発放射線の成分も少なくとも部分的に吸収されると言う思想を基礎としている。これにより、追加的に検出すべき画像情報の鮮明度が上昇される。ラインスキャナによる読み取りの際に鮮明度の上昇はメモリー板上の照明された直線状領域の方向に対して垂直に生じる。それで、放出光のこの発明による吸収性とともに、全体として鮮明度の上昇はメモリー層の読み取るべき直線状領域の方向に対して垂直に並びに直線状領域の方向に達成される。
【００１５】
好ましくは、第二波長範囲は赤光の範囲に、特に６２０ｎｍと６９０ｎｍの間に位置する。これにより放出光を出射するように燐粒子を励起できる誘発放射線のすべての実質的スペクトル成分が十分に減衰されることが保証される。
【００１６】
その他に、媒体は第二波長範囲における誘発放射線の成分を少なくとも部分的に吸収できる第二染料を含有することが好ましい。特に第二染料は誘発放射線の高い吸収性と放出放射線の低い吸収性とを有する。媒体内の第二染料によって、誘発放射線の散乱の減少は放出放射線の散乱のこの発明による減少に依存して調整され得ることが達成される。
【００１７】
第一染料と類似に、媒体は青着色顔料の形態の第二染料を含有することが好ましい。あらゆる場合においても、青着色顔料は燐粒子と混合され、それにより簡単な方法で媒体に入れられ得る。
【００１８】
この発明のシステムの他の好ましい構成は、照射装置が複数の個別放射線源並びに焦点装置を包含することを提供する。個別放射線源はそれぞれに分散誘発放射線束を出射し、その放射線束は焦点装置によって放射線束が直線状領域の方向に少なくとも部分的に重ねられる形式にメモリー層の直線状領域に焦点合わせされる。これによって、誘発放射線の強度の高い度合いの均一性が直線状領域に沿って達成される。さらに、それぞれの誘発放射線束の重なりによって、個別放射線源の脱落の際に隣接した放射線源の直線状領域の照明すべき部分が照明されて励起され得ることが保証される。
【００１９】
好ましくは、焦点装置は少なくとも一つの円筒状レンズ或いは一つの円筒状鏡を包含する。これによって個別放射線源からそれぞれ出発した誘発放射線束の比較的に鮮明に形成された焦点合せはメモリー層の直線状領域にて保証される。光学的画像形成誤差に基づく任意の鮮明度損失はこれによって僅かに保持され得る。
【００２０】
この発明のシステムの他の好ましい構成は、検出器が多数の直線に沿って配置された感光性検出要素を包含することを提供する。これによって簡単な方法で直線状領域に沿ってメモリー層から出射される放出放射線の位置的解像された検出が可能とされる。
【００２１】
好ましくは、直線状領域からメモリー層へ出る放出放射線を検出器に画像形成する画像形成装置が設けられる。これによって、メモリー層における放出放射線を出射する部分領域の明らかな付加が適切な領域に、特に検出器における個々の感光性検出要素に与える。      
【００２２】
この好ましい構成では、画像形成装置が多数の直線に沿って配置されたマイクロレンズを有することが計画される。これによって、画像形成誤差は僅かに保持され、同時にメモリー層と検出器との間に短い間隔が可能とされるので、強度損失が極めて僅かに保持され得る。
【００２３】
この発明の他の好ましい構成は、照射装置はスキャナがメモリー層に対して移動される搬送装置に関して検出器の前に配置されていることを計画している。それによりスキャナは照射装置と一緒にメモリー層に対して移動される。これによって、メモリー層にて散乱されている誘発放射線の大部分は、輸送方向と反対に指向されている方向に散乱されることが達成される。それ故に、誘発放射線の散乱は、既に所定の読取過程において放出放射線を出射するするように励起されたメモリー層の領域において主に行われる。これによりメモリー層にて散乱された誘発放射線の僅かな割合のみが読み取られない領域にて散乱されるから、強度と鮮明度の損失はさらに減少される。
【発明を実施するための最良の形態】
【００２４】
この発明は、次に図に基づいて詳細に説明される。図１はスキャナとメモリー層を備えるこの発明のシステムを示し、図２はこの発明のメモリー層を通る拡大断面を示し、図３はこの発明のメモリー層を通る平面図を示す。
【実施例１】
【００２５】
図１はスキャナ１０とメモリー層１を備えるこの発明のシステムを示す。読み取るべきメモリー層１は支持層２上にあり、照射装置４により発生される誘発放射線３を照射される。誘発放射線３によってメモリー層１に励起された放出放射線７は検出器９によって検出される。照射装置４と、画像形成装置８と光学的フィルタ１１を含めた検出器９とは、一緒に読取過程中に輸送方向Ｔにおいてメモリー層１に対して移動されるスキャナ１０を形成する。
【００２６】
照射装置４は複数の個別放射線源５並びに一つの集束装置６を有し、その集束装置は放射線源５から出発する誘発放射線束１２をメモリー層１に集束する。個別放射線源５、例えば発光ダイオード或いはレーザ−ダイオードは、図平面に対して垂直に延びる列に配置されている。集束装置６は二つの細長い円筒状レンズを有し、そのレンズは実質的に一列に配置された個別放射線源５と平行に延びている。個別放射線源５から出発する分散誘発放射線束１２は集束装置６によって図平面に集束され、誘発放射線３の収束した放射線束としてメモリー層１に命中する。図平面に垂直に個別放射線源５の分散した誘発放射線束１２は、収束した放射線束が図平面に垂直に延びている誘発放射線ライン１３をメモリー層１に記載する形式に、重なる。
【００２７】
メモリー層１における誘発放射線ライン１３の領域に励起され且つ照射される放出放射線７は検出器９によって位置的解像されて検出される。このために、検出器９は多数の受光性検出要素１４を有し、それら検出要素は図平面に垂直に延びているラインに沿って配置されている。メモリー層１上の誘発放射線ライン１３の領域に出射した放出放射線７は画像形成装置８によって検出器９の受光性検出要素１４に形成される。検出器９は特にＣＣＤ或いはフォトダイオード列として形成されている。画像形成装置８として特にマイクロレンズが適し、図平面に垂直に且つそれで列状に形成された検出器９と平行に延びているラインに沿って配置されている。画像形成装置８として勾配指数レンズも、特に自己収束するレンズが適しており、そのレンズは同様に図平面に垂直に延びている列に配置されている。
【００２８】
選択的にメモリー層１と検出器９の間の光路において光学フィルタ１１が設けられ、その光学フィルタは放出放射線７の波長範囲にて透過して、誘発放射線の波長範囲にて実質的に透過しない。これによって放出放射線の検出はメモリー層１で反射されて検出器９に到達し得る誘発放射線の割合によって変造されないことが保証される。
【００２９】
示された実施例には、スキャナ１０は図示されていない輸送機構によって輸送方向Ｔにおいて静止メモリー層１の上を移動され、この場合に誘発放射線ライン１３によってメモリー層１の異なる直線状領域は連続的に励起され、それぞれに出射した放出放射線７は位置的解像されて検出される。この場合に照射装置４は輸送方向Ｔに関して検出器９の前に配置されていて、即ちスキャナ１０は照射装置４とともにメモリー層１の上を先立って走る。これによってメモリー層にて散乱された誘発放射線３の大部分は既に読み取られた領域１５において散乱され、ほんの僅かな部分はメモリー層のなお読み取られていない領域１４において散乱されることが達成される。これによってこの発明のシステムでは追加的に強度と鮮明度の損失は誘発放射線３の散乱に基づきメモリー層１内部で減少され得る。      
【００３０】
図示例では、スキャナ１０は固定メモリー層１の上を移動される。しかしスキャナ１０が固定され、支持層２にあるメモリー層１が運動方向Ｐにおいてこのスキャナに対して輸送されるならば、上記実施態様は無論適している。同じものは構成と類似に見做され、スキャナ１０は輸送方向Ｔに移動され、メモリー層１が運動方向Ｐに移動される。
【００３１】
この発明のシステムの図１に図示された実施例は記載されたスキャナ１０の他にメモリー層１を包含し、そのメモリー層は励起された放出放射線７の成分がメモリー層１の媒体を通してメモリー層１の平面に垂直に並びに平行に部分的に吸収されるように構成される。これによって励起された放出放射線７の散乱はメモリー層１内部で強力に減少される。これは次に図２と図３に基づいて詳細に説明される。
【００３２】
図２は図１に示された部分の領域におけるこの発明のメモリー層１を通る拡大横断面を示す。支持層２上にあるメモリー層１は多数の個別粒子２０を包含し、Ｘ線過程ではＸ線情報項目が蓄積され得る。個別粒子２０は、特に好ましい方向と対称軸線なしに一般に不均一な形態を有する。
【００３３】
個別粒子２０の典型的直径はおよそ３μm と１２μm との間に位置し、特におよそ７μm である。粒子２０は媒体２１に埋め込まれ、メモリー層１の全厚さ上に分布されて配置されている。粒子２０は媒体２１と混合されてこれによって結合される一般に粉末の形態であるから、このタイプのメモリー層１は粉末画像板（ＰＩＰ）と呼ばれる。そのようなメモリー層１の典型的厚さは５０μm と５００μm との間に位置し、特におよそ２５０μm である。
【００３４】
メモリー層１の個別粒子２０に蓄積されたＸ線情報項目の読取りの際にメモリー層１はその上側から誘発放射線を照射され、その放射線は図２の平面に垂直に延びている誘発放射線ライン１３をメモリー層１に記載する。誘発放射線は部分的にメモリー層１に侵入して、放出放射線を出射するように個別粒子２０を励起する。粒子２０から放出される放出放射線は、粒子が他の粒子２０に衝突してこの媒体で散乱されるまで、媒体２１を横断する。次に散乱された放射線は新たに他の粒子に散乱される。これによって所謂放出放射線の散乱が生じる、その散乱は読み取る直線状領域、即ち誘発放射線ライン１３を招き、それで位置情報の鮮明度の損失を招く。
【００３５】
この発明によると、放出放射線が個別粒子２０間にある媒体２１によって部分的に吸収され、それで減衰されるから、この鮮明度の損失が減少される。個別粒子２０がそれぞれに完全に媒体２１により包囲されて個別粒子２０から出射した放出放射線は一般にメモリー層１の平面に垂直な成分Ｅs 並びにメモリー層１の平面に平行な成分Ｅp を有するから、放出放射線の両成分Ｅs とＥp は媒体２１によって同じ形式に減衰される。これによってメモリー層１の内部の個別粒子２０から放出された放出放射線の平均通路長さとそれであらゆる立体方向における放出放射線の散乱とは著しく減少される。
【００３６】
好ましくは媒体２１は青色光の範囲に、特に４００ｎｍと４４０ｎｍの間に高い吸収係数を有する第一染料を含有する。第一染料は特に赤色顔料の形態で媒体２１内に含有する。個別粒子２０間にある媒体２１の赤着色によって通常には赤スペクトル範囲内に位置する誘発放射線はメモリー層１に侵入され得ることが達成されるけれども、通常には青スペクトル範囲内に位置する個別粒子２０から放出された放出放射線の散乱は減少される。この方法では、検出すべき放出放射線の鮮明な立体的制限は同時により高い放出強度を保証されている。
【００３７】
放出放射線の散乱の他に誘発放射線の散乱も検出すべき画像情報の不鮮明さに貢献する。この値を出来るだけ僅かに保持するために、媒体２１は追加的に粒子２０にて散乱された誘発放射線のメモリー層１の平面と垂直に並びに平行に指向された成分Ｓs 或いはＳp が誘発放射線の波長範囲内で少なくとも部分的に吸収できる形式に構成される。好ましくは媒体２１は赤色光の範囲に、特に６２０ｎｍと６９０ｎｍとの間に高い吸収係数を有する第二染料を含有する。これによってメモリー層１内部の誘発放射線の減衰が達成され、それによりメモリー層１における誘発放射線の散乱と励起された誘発放射線ライン１３のその散乱と共に併発する不鮮明さとは減少される。好ましくは媒体２１は青色顔料の形態の第二染料を含有する。同様に好ましくは赤色顔料の形態で存在する第一染料と一緒に、それぞれの色顔料の濃度の選択によって放出放射線と誘発放射線は互いに無関係に達成されるように調整され得る。
【００３８】
図３は図１に示された誘発放射線ライン１３の範囲においてこの発明のメモリー層１の平面図を示す。より良い例示のために、誘発放射線ライン１３は図１と比較して著しく幅広く図示されていた。この発明の好ましい効果は次に例として誘発放射線ライン１３の三つの部分１６−１８に基づいて説明される。
【００３９】
全誘発放射線ライン１３は誘発放射線を照射されるので、誘発放射線ライン１３の各個別部分１６−１８は放出放射線を出射するように励起される。メモリー層１における励起された放出放射線の散乱のために、各部分１６−１８に励起された放出放射線はそれぞれに励起された部分１６、１７或いは１８から出射されるばかりでなく、それに隣接する領域からも出射される。これは、例えば部分１６の領域に励起された放出放射線は部分１７と１８が位置する隣接した領域においても散乱されることを招く。これは示された散乱放射線領域１９によって示されている。それ故に、各部分１７或いは１８から出発する放出放射線は部分１６からの放出放射線の割合を包含し、それは、検出された画像情報が部分１７或いは１８のみに由来しないから、検出された画像情報の鮮明度に関する損失を意味する。同様な注意は逆に部分１６において部分１７と１８の散乱された放出放射線の影響に適用する。
【００４０】
既に上で詳細に説明したように、赤染料を備えるメモリー層１の発明の着色はメモリー層１における放出放射線の僅かな散乱を生じる。これによって励起された部分１６の散乱放射線領域１９が縮小される。それにより読み取るべき画像情報の鮮明度は誘発放射線ライン１３のライン方向Ｚと垂直にばかりでなく、むしろライン方向Ｚと平行にも、即ち図示された例では隣接した部分部分１７と１８において上昇される。
【００４１】
ラインスキャナによる誘発放射線ライン１３から出発する放出光の位置的解像された検出によって鮮明度の向上は両方向において検出される。この場合にメモリー層１の赤着色に基づき検出された放出光の強度に関する期待された損失は極めて僅かであるので、画像情報のより良い鮮明度の他に、特に列方向Ｚに、十分な高さの信号騒音関係も保証されている。
【００４２】
さらに、青染料によるメモリー層１の追加的着色によって誘発放射線の散乱が減少される。ラインスキャナによる誘発放射線ライン１３に沿って画像情報の位置的解像された検出によってこれは、赤着色と反対に、しかし列方向Ｚに垂直にのみ、鮮明度の更なる向上に寄与する。                                                                    
【図面の簡単な説明】
【００４３】
【図１】スキャナとメモリー層を備えるこの発明のシステムを示す。
【図２】この発明のメモリー層を通る拡大断面を示す。
【図３】この発明のメモリー層を通る平面図を示す。
【符号の説明】
【００４４】
１．．．．．メモリー層
２．．．．．支持層
３．．．．．誘発放射線
４．．．．．照射装置
５．．．．．個別放射線源
６．．．．．集束装置
７．．．．．放出放射線
８．．．．．画像形成装置
９．．．．．検出器
１０．．．．．スキャナ
１１．．．．．光学的フィルタ
１２．．．．．分散誘発放射線束
１３．．．．．誘発放射線ライン
１４．．．．．受光性検出要素
１５．．．．．読み取られた領域
１６−１８．．．誘発放射線ラインの各個別部分
１９．．．．．散乱放射線領域
２０．．．．．粒子
２１．．．．．媒体
【図１】
2005024552.tif 000003
【図２】
2005024552.tif 000004
【図３】
2005024552.tif 000005